(57)【要約】【課題】スピーカが発生する振動が緩衝体から軸部を経て支持体に伝達されるのを低減することができる緩衝構造、及び表示装置を提供する。【解決手段】軸部２３を有する支持体の軸部２３に嵌入される孔５ａを有し、スピーカ３の被取付部３２と軸部２３との間に配される緩衝体５を、軸部２３の軸長方向へ離隔して配される第１分体５１及び第２分体５２に分け、第１分体５１及び第２分体５２の孔５ａと軸部２３との間に、互いの接触面積を少なくする非接触凹部７を設け、第１分体５１及び第２分体５２の外周部間で被取付部３２を挾着する構成とすることにより、被取付部３２から緩衝体５に伝達された振動が、緩衝体５から軸部２３に伝達されるのを低減することができるようにした。【選択図】図４
2009281513.tif 000002
【特許請求の範囲】
【請求項１】
軸部を有する支持体の前記軸部に周面同士が接触するように嵌入される孔を有し、被支持物と前記軸部との間に配されて前記被支持物を前記支持体に支持する緩衝体を備える緩衝構造において、前記軸部の周面と前記孔の周面との少なくとも一方に、他方との接触面積を少なくする非接触凹部を有することを特徴とする緩衝構造。
【請求項２】
前記緩衝体は、前記軸部の軸長方向へ離隔して配される第１分体及び第２分体を有し、該第１分体及び第２分体間に前記被支持物を配してある請求項１記載の緩衝構造。
【請求項３】
前記緩衝体は、前記非接触凹部内で前記第１分体及び第２分体を一体に連結する連結部を有する請求項２記載の緩衝構造。
【請求項４】
前記緩衝体の孔は前記軸部よりも大径であり、前記緩衝体と前記支持体との少なくとも一方は、他方との前記軸部の軸直交方向への相対移動を規制する規制部を有する請求項１又は３記載の緩衝構造。
【請求項５】
前記第１分体及び第２分体の孔は前記軸部よりも大径であり、前記支持体は前記第１分体の前記軸部の軸直交方向への移動を規制する第２の規制部を有し、前記被支持物は前記第２分体の前記軸部の軸直交方向への移動を規制する第３の規制部を有する請求項２記載の緩衝構造。
【請求項６】
前側に表示面を有する表示部と、該表示部の後側を被覆し、前記支持体を構成するキャビネットと、該キャビネット内に配され、前記被支持物を構成するスピーカと、該スピーカの振動を緩衝する請求項１から５のいずれか一つに記載の緩衝構造とを備えることを特徴とする表示装置。
【発明の詳細な説明】
【技術分野】
【０００１】
本発明は機器が発生する振動、又は機器が受ける振動を緩衝する緩衝構造、及び緩衝構造によりスピーカの振動を緩衝することができる表示装置に関する。
【背景技術】
【０００２】
スピーカ等の機器が発生する振動、機器が受ける振動を緩衝する緩衝構造として、前側に表示面を有する表示装置本体の後側を被覆するキャビネットの内側に複数の軸部を設け、該軸部に周面同士が接触するように嵌入される孔及び外周部に環状溝を有するゴム製の緩衝体を前記軸部に保持し、該緩衝体の環状溝に密接状に嵌入される被取付部をスピーカに設け、被取付部の前記環状溝への嵌入によりスピーカを緩衝体に支持し、前記軸部に雄螺子を螺着することにより緩衝体を軸部に固定するように構成されている（例えば、特許文献１参照）。
【特許文献１】特開２００４−１８７２７１号公報
【発明の開示】
【発明が解決しようとする課題】
【０００３】
ところで、緩衝体は該緩衝体が支持する機器の振動を緩衝するに過ぎず、未緩衝の振動は緩衝体から該緩衝体を保持する部材に伝達される。図１１は特許文献１に記載されている緩衝構造の説明図である。この緩衝構造Ｂは、軸部１００の周面と、緩衝体１０１における孔１０２の周面とが全面接触しているため、スピーカが発生した振動が緩衝体１０１に伝達される際、被取付部１０３に開設されている挿通孔１０４の周面及び挿通孔１０４の両縁部から緩衝体１０１の環状溝部１０５に伝達され、該緩衝体１０１における孔１０２の周面全面から軸部１００に伝達されることになり、緩衝体１０１に伝達された振動が、該緩衝体１０１から軸部１００に伝達され易い構造になっている。因って、スピーカの音量によっては（特に低音）、緩衝体１０１に伝達された振動が軸部１００からキャビネット１０６に伝達され、該キャビネット１０６が微振動し、該キャビネット１０６の微振動による異音（ヒビリ音）が発生することになり、改善策が要望されていた。
【０００４】
本発明は斯かる事情に鑑みてなされたものであり、主たる目的は軸部を有する支持体の前記軸部に周面同士が接触するように嵌入される孔を有し、被支持物と前記軸部との間に配されて前記被支持物を前記支持体に支持する緩衝体における前記孔の周面と前記軸部の周面との少なくとも一方に、他方との接触面積を少なくする非接触凹部を設け、緩衝体の軸部との接触面積を減少することにより、被支持物が発生する振動が緩衝体から軸部を経て支持体に伝達されるのを低減することができる緩衝構造、及び表示装置を提供することにある。
【課題を解決するための手段】
【０００５】
本発明に係る緩衝構造は、軸部を有する支持体の前記軸部に周面同士が接触するように嵌入される孔を有し、被支持物と前記軸部との間に配されて前記被支持物を前記支持体に支持する緩衝体を備える緩衝構造において、前記軸部の周面と前記孔の周面との少なくとも一方に、他方との接触面積を少なくする非接触凹部を有することを特徴とする。
【０００６】
この発明にあっては、軸部の周面と緩衝体における孔の周面との接触面積を少なくしてあるため、緩衝体から軸部に伝達される振動を低減でき、被支持物の微振動を低減できる。
【０００７】
また、本発明に係る緩衝構造は、前記緩衝体は、前記軸部の軸長方向へ離隔して配される第１分体及び第２分体を有し、該第１分体及び第２分体間に前記被支持物を配してある構成とするのが好ましい。
この発明にあっては、軸部周りの全周を非接触凹部にすることができるため、緩衝体から軸部に伝達される振動をより一層低減でき、被支持物の微振動をより一層低減できる。
【０００８】
また、本発明に係る緩衝構造は、前記緩衝体は、前記非接触凹部内で前記第１分体及び第２分体を一体に連結する連結部を有す構成とするのが好ましい。
この発明にあっては、第１分体及び第２分体を一体に成形することができるため、第１分体及び第２分体の相対的な位置ずれを防ぐことができ、第１分体及び第２分体の組込作業性を向上できる。
【０００９】
また、本発明に係る緩衝構造は、前記緩衝体の孔は前記軸部よりも大径であり、前記緩衝体と前記支持体との少なくとも一方は、他方との前記軸部の軸直交方向への相対移動を規制する規制部を有する構成とするのが好ましい。
この発明にあっては、緩衝体の軸部に対する位置ずれを防ぐことができるため、緩衝体を最適部位に正確に配することができ、非接触凹部を確保することができる。
【００１０】
また、本発明に係る緩衝構造は、前記第１分体及び第２分体の孔は前記軸部よりも大径であり、前記支持体は前記第１分体の前記軸部の軸直交方向への移動を規制する第２の規制部を有し、前記被支持物は前記第２分体の前記軸部の軸直交方向への移動を規制する第３の規制部を有する構成とするのが好ましい。
この発明にあっては、第１分体及び第２分体の軸部に対する位置ずれを防ぐことができるため、第１分体及び第２分体を最適部位に正確に配することができ、非接触凹部を確保することができる。
【００１１】
また、本発明に係る表示装置は、前側に表示面を有する表示部と、該表示部の後側を被覆し、前記支持体を構成するキャビネットと、該キャビネット内に配され、前記被支持物を構成するスピーカと、該スピーカの振動を緩衝する前述した発明の緩衝構造とを備えることを特徴とする。
この発明にあっては、軸部の周面と緩衝体における孔の周面との接触面積を少なくしてあるため、緩衝体から軸部に伝達される振動を低減でき、キャビネットの微振動を低減できる。
【発明の効果】
【００１２】
本発明によれば軸部の周面と緩衝体における孔の周面との接触面積を少なくしてあるため、緩衝体から軸部に伝達される振動を低減でき、被支持物の微振動を低減できる。
【発明を実施するための最良の形態】
【００１３】
以下本発明をその実施の形態を示す図面に基づいて詳述する。
実施の形態１
図１は本発明に係る表示装置の構成を示す斜視図、図２は表示装置の構成を示す一部を省略した縦断側面図、図３はスピーカの構成を示す正面図である。
【００１４】
図示した表示装置はテレビ画像を表示する表示面１ａを前側に有し、略直方体をなす表示部１と、該表示部１の周縁部及び後側を被覆するキャビネット２と、該キャビネット２内における表示部１の下側で、横方向両側に配された二つのスピーカ３と、該スピーカ３をキャビネット２に支持する緩衝構造Ａと、表示部１を起立状態で支持するスタンド４とを備える薄型の液晶テレビジョンである。尚、表示部１及びキャビネット２が、被支持体としてのスピーカ３を支持する支持体を構成している。
【００１５】
表示部１は前側に表示面１ａを有する液晶の表示パネル１１と、該表示パネル１１の後側に配置された光学シート１２、光源１３及び電源基板等のテレビ基板とを備える。又、光源１３は複数本のランプ及び該ランプを収容して支持するケースを有する。
【００１６】
キャビネット２は表示パネル１１の外周り及びスピーカ３の前側を被覆するキャビネット前分体２１と、光源１３の後側及びスピーカ３を被覆するキャビネット後分体２２とを有する合成樹脂製であり、キャビネット前分体２１及びキャビネット後分体２２の周縁部が光源１３のケースに複数本の雄螺子により取付けられている。
【００１７】
キャビネット前分体２１は、環板部２１ａ及び該環板部２１ａの周縁から後方へ延出された角筒部２１ｂを有し、環板部２１ａの下部にはスピーカ３を支持するためのスピーカ支持部２１ｃが設けられている。
【００１８】
スピーカ支持部２１ｃには、後方へ延出された円筒状の複数の軸部２３がスピーカ３の外周部に対応して一体に設けられている。また、スピーカ支持部２１ｃには、音声を外部へ出力する複数の放音孔が開設されている。
【００１９】
軸部２３の基部には周方向に離隔して複数のリブ２３ａが突設され、該リブ２３ａの端面が受止部２３ｂになっている。
【００２０】
キャビネット後分体２２は深皿形をなしている。
【００２１】
スピーカ３は、低音用の音源、及び中・高音用の音源と、夫々の音源を横に並べて保持し、一方の音源が発生した低音の音声、及び他方の音源が発生した中・高音の音声を前方へ放出する音声出力部を有する保持ケース３１とを備え、該保持ケース３１の周縁部が緩衝構造Ａによりキャビネット前分体２１の軸部２３に支持されている。保持ケース３１の周縁部には複数の被取付部３２が一体に設けられている。被取付部３２は板状をなし、該被取付部３２に、軸部２３よりも大径の挿通孔３３が開設されている。
【００２２】
図４は緩衝構造を示す拡大断面図である。緩衝構造Ａは、キャビネット前分体２１の軸部２３と、該軸部２３が嵌入される孔５ａを有するゴム製の緩衝体５と、該緩衝体５を軸部２３に固定する雄螺子６とを備える。
【００２３】
緩衝体５は、軸部２３の軸長方向へ離隔して配される第１分体５１及び第２分体５２を有し、軸部２３周りにおける第１分体５１及び第２分体５２の間に、軸部２３との接触面積を少なくする環状の非接触凹部７が設けられている。
【００２４】
第１分体５１及び第２分体５２は軸部２３とほぼ等径の孔５ａを有する円板形をなし、第１分体５１及び第２分体５２の外周部間に被取付部３２が配され、雄螺子６の軸部２３内への捩込みにより第１分体５１及び第２分体５２間で被取付部３２を挾着している。
【００２５】
以上のように構成された表示装置は、表示部１にキャビネット前分体２１が取付けられた後、キャビネット前分体２１のスピーカ支持部２１ｃに突設されている軸部２３に合成樹脂製のワッシャ８及び第１分体５１を嵌入支持し、スピーカ３における被取付部３２の挿通孔３３に軸部２３を嵌入した後、第２分体５２及び座金９を軸部２３に嵌入し、スピーカ３を軸部２３に支持した状態で、タッピングネジからなる雄螺子６を軸部２３の孔に捩じ込むことにより、スピーカ３を弾性的に取付けることができる。
【００２６】
図５はスピーカの取付部の構成を示す正面図である。スピーカ３は上下左右に離隔する４箇所に配される緩衝構造によりキャビネット前分体２１に取付けられる。上側２箇所には図１０に示す既存の緩衝構造Ｂが配置され、下側２箇所には図４に示す本発明に係る緩衝構造Ａが配される。このような構成とすることにより、上側２箇所の緩衝構造Ｂによりスピーカ３を吊下げ支持し、スピーカ３の位置ずれを防ぐことができ、スピーカ３の組込作業性を高めることができる。また、下側２箇所の緩衝構造Ａにより、該緩衝構造Ａの緩衝効果を高めることができ、スピーカ３が発生する振動によりキャビネット２が微振動するのを低減でき、異音の発生をなくすることができる。
【００２７】
このようにスピーカ３を取付ける緩衝構造Ａは、緩衝体５が第１分体５１及び第２分体５２に分けられ、第１分体５１及び第２分体５２の外周部間に保持ケース３１の被取付部３２が挾着され、軸部２３周りにおける第１分体５１及び第２分体５２間に非接触凹部７が設けられ、緩衝体５の軸部２３周面との接触面積を少なくしてあるため、スピーカ３が発生した振動は、図４に矢印で示すように被取付部３２から第１分体５１及び第２分体５２の外周部を経て、第１分体５１及び第２分体５２の周面から軸部２３に伝達され、第１分体５１及び第２分体５２間の非接触凹部７から軸部２３への振動伝達はないので、緩衝体５から軸部２３に伝達される振動を低減でき、キャビネット前分体２１を含むキャビネット２の微振動を低減できる。
【００２８】
実施の形態２
図６は緩衝構造Ａの他の構成を示す縦断面図である。この緩衝構造Ａは、第１分体５１及び第２分体５２の内周部同士を、非接触凹部７内で連結部５３により一体に連結し、一つの部品としたものである。
【００２９】
第１分体５１及び第２分体５２は非接触凹部７の長さだけ軸部２３の軸長方向に離隔して配され、第１分体５１及び第２分体５２の外周部間で被取付部３２を挾着するように構成されている。
【００３０】
連結部５３は比較的薄肉の円筒形をなし、第１分体５１及び第２分体５２の内周部同士を連結しており、該連結部５３の外周面と被取付部３２における挿通孔３３の周面との間に非接触凹部７を配してある。また、連結部５３は、該連結部５３から軸部２３への振動伝達が殆どないように比較的薄肉に形成されている。
【００３１】
被取付部３２には挿通孔３３の一側を外部に開放するためのスリットが設けられ、緩衝体５の連結部５３をスリットから挿通孔３３へ挿入することができるように構成されている。
【００３２】
この緩衝構造Ａを備える表示装置にあっては、スピーカ３における被取付部３２の挿通孔３３に緩衝体５の連結部５３が挿入され、緩衝体５が被取付部３２に予め保持される。そして、表示部１にキャビネット前分体２１が取付けられた後、キャビネット前分体２１のスピーカ支持部２１ｃに突設されている軸部２３に合成樹脂製のワッシャ８及び緩衝体５を嵌入支持し、緩衝体５及びスピーカ３を軸部２３に支持した後、座金９を軸部２３に嵌入し、タッピングネジからなる雄螺子６を軸部２３の孔に捩じ込むことにより、スピーカ３を弾性的に取付けることができる。
【００３３】
スピーカ３が発生した振動は、図６に矢印で示すように被取付部３２から第１分体５１及び第２分体５２の外周部を経て、第１分体５１及び第２分体５２の周面から軸部２３に伝達され、連結部５３から軸部２３への振動伝達は殆どないので、緩衝体５から軸部２３に伝達される振動を低減でき、キャビネット前分体２１を含むキャビネット２の微振動を低減できる。
その他の構成及び作用は実施の形態１と同様であるため、同様の部品については同じ符号を付し、その詳細な説明及び作用効果の説明を省略する。
【００３４】
実施の形態３
図７は緩衝構造Ａの他の構成を示す縦断面図である。この緩衝構造Ａは、第１分体５１及び第２分体５２の内周部同士を連結部５３により連結する代わりに、第１分体５１及び第２分体５２の内外周面間の途中部位を連結部５４により一体に連結し、一つの部品としたものである。
その他の構成及び作用は実施の形態１、２と同様であるため、同様の部品については同じ符号を付し、その詳細な説明及び作用効果の説明を省略する。
【００３５】
実施の形態４
図８は緩衝構造Ａの他の構成を示す縦断面図である。この緩衝構造Ａは、軸部２３が嵌入される孔５ａ及び外周部に環状溝５ｂを有する緩衝体５の孔５ａを軸部２３よりも大径とし、軸部２３の周面と緩衝体５の孔５ａとの間に非接触凹部７を設け、軸部２３の受止部２３ｂに、緩衝体５が軸部２３に対して該軸部２３の径方向へ移動するのを規制する第１の規制部２０を設けたものである。
【００３６】
緩衝体５の環状溝５ｂには被取付部３２が嵌入され、被取付部３２が軸部２３の径方向へ移動するのを規制している。
【００３７】
第１の規制部２０は緩衝体５が軸部２３に対して該軸部２３の径方向へ移動するのを規制し、非接触凹部７を維持するものであり、受止部２３ｂを構成する複数のリブ２３ａの軸部側に、緩衝体５の一部を受入れる凹所を設けることにより形成されている。
【００３８】
以上のように緩衝構造Ａを備える表示装置は、表示部１にキャビネット前分体２１が取付けられた後、スピーカ３における被取付部３２の挿通孔３３に緩衝体５の環状溝５ｂ部分が嵌入され、緩衝体５が被取付部３２に保持される。そして、キャビネット前分体２１のスピーカ支持部２１ｃに突設されている軸部２３に緩衝体５を嵌入し、該緩衝体５の一部を第１の規制部２０に支持した状態で、座金９を軸部２３に嵌入し、タッピングネジからなる雄螺子６を軸部２３の孔に捩込むことにより、受止部２３ｂ及び座金９間で緩衝体５を挾着し、スピーカ３を弾性的に取付けることができる。
【００３９】
このようにスピーカ３を取付ける緩衝構造Ａは、軸部２３の周面と緩衝体５の孔５ａとの間に非接触凹部７があるため、緩衝体５の孔５ａが軸部２３と接触するのをなくすることができる。
【００４０】
スピーカ３が発生した振動は、図８に矢印で示すように被取付部３２から緩衝体５及びリブ２３ａの受止部２３ｂを経て軸部２３に伝達され、また、被取付部３２から緩衝体５及び座金９を経て軸部２３に伝達され、緩衝体５の孔５ａから軸部２３への振動伝達はないので、緩衝体５から軸部２３に伝達される振動を低減でき、キャビネット前分体２１を含むキャビネット２の微振動を低減できる。
その他の構成及び作用は実施の形態１〜３と同様であるため、同様の部品については同じ符号を付し、その詳細な説明及び作用効果の説明を省略する。
【００４１】
実施の形態５
図９は緩衝構造Ａの他の構成を示す縦断面図である。この緩衝構造Ａは、軸部２３よりも大径の孔５ａを有する第１分体５１の移動を規制する第２の規制部２４を軸部２３の受止部２３ｂに設け、軸部２３よりも大径の孔５ａを有する第２分体５２の移動を規制する第３の規制部３４を被取付部３２に設け、軸部２３の周りにおける第１分体５１及び第２分体５２の間に非接触凹部７を設け、軸部２３の周面と第１分体５１及び第２分体５２の孔５ａとの間に第２の非接触凹部７ａを設けたものである。
【００４２】
第１分体５１及び第２分体５２は非接触凹部７の長さだけ軸部２３の軸長方向に離隔して配され、第１分体５１及び第２分体５２の外周部間で被取付部３２を挾着するように構成されている。
【００４３】
第２及び第３の規制部２４，３４は第１分体５１及び第２分体５２が軸部２３に対して該軸部２３の径方向へ移動するのを規制し、第２の非接触凹部７ａを維持するものであり、第２の規制部２４は、受止部２３ｂを構成する複数のリブ２３ａの軸部側に、第１分体５１の一部を受入れる凹所を設けることにより形成されている。第３の規制部３４は被取付部３２における一面の挿通孔３３周りに、第２分体５２の一部を受入れる凹所を設けることにより形成されている。
【００４４】
以上のように緩衝構造Ａを備える構成された表示装置は、表示部１にキャビネット前分体２１が取付けられた後、キャビネット前分体２１のスピーカ支持部２１ｃに突設されている軸部２３に第１分体５１を嵌入し、該第１分体５１を第２の規制部２４に支持し、スピーカ３における被取付部３２の挿通孔３３に軸部２３を嵌入した後、第２分体５２及び座金９を軸部２３に嵌入し、第２分体５２を第３の規制部３４に支持した状態で、タッピングネジからなる雄螺子６を軸部２３の孔に捩込むことにより、受止部２３ｂ及び座金９間で第１分体５１、被取付部３２及び第２分体５２を挾着し、スピーカ３を弾性的に取付けることができる。
【００４５】
このようにスピーカ３を取付ける緩衝構造Ａは、軸部２３の周りにおける第１分体５１及び第２分体５２の間に非接触凹部７があり、軸部２３の周面と第１分体５１及び第２分体５２の孔５ａとの間に第２の非接触凹部７ａがあるため、緩衝体５の孔５ａが軸部２３と接触するのをなくすることができる。
【００４６】
スピーカ３が発生した振動は、図９に矢印で示すように被取付部３２から第１分体５１及びリブ２３ａの受止部２３ｂを経て軸部２３に伝達され、また、被取付部３２から第２分体５２及び座金９を経て軸部２３に伝達され、緩衝体５の孔５ａから軸部２３への振動伝達はないので、緩衝体５から軸部２３に伝達される振動を低減でき、キャビネット前分体２１を含むキャビネット２の微振動を低減できる。
その他の構成及び作用は実施の形態１〜４と同様であるため、同様の部品については同じ符号を付し、その詳細な説明及び作用効果の説明を省略する。
【００４７】
実施の形態６
図１０は緩衝構造Ａの他の構成を示す軸部の軸直交方向の縦断面図である。この緩衝構造Ａは、緩衝体５の孔５ａを軸部２３よりも大径とする代わりに、軸部２３の周面に平取面２３ｃを設け、該平取面２３ｃと孔５ａの周面との間を非接触凹部７としたものである。
その他の構成及び作用は実施の形態１〜５と同様であるため、同様の部品については同じ符号を付し、その詳細な説明及び作用効果の説明を省略する。
【００４８】
尚、以上説明した実施の形態では、被支持物としてのスピーカ３が発生する振動を緩衝する緩衝構造Ａについて説明したが、その他、本発明に係る緩衝構造Ａは、例えば表示部１におけるケースの後面に装着される冷却用ファンが発生する振動を緩衝することも可能であり、被支持物の対象は特に制限されない。
【００４９】
また、以上説明した実施の形態では緩衝体５の孔５ａを軸部２３よりも大径に形成するか、又は、軸部２３の周面に平取面２３ｃを設けることにより非接触凹部７、７ａを形成したが、その他、緩衝体５の孔５ａの断面形状を例えば楕円形、多角形等の非円形とすることにより非接触凹部７、７ａを形成してもよいし、また、軸部２３の断面形状を例えば楕円形、多角形等の非円形とすることにより非接触凹部７、７ａを形成してもよい。
【００５０】
また、以上説明した実施の形態４では、第１の規制部２０をキャビネット前分体２１のリブ２３ａに設けたが、その他、第１の規制部２０は、緩衝体５の受止部２３ｂ側端に、例えばリブ２３ａの軸部２３と反対側に接触する環状凸部を設けて、緩衝体５が軸部２３に対して該軸部２３の径方向へ移動するのを規制するようにしてもよい。
【００５１】
また、以上説明した実施の形態５では、第２の規制部２４をキャビネット前分体２１のリブ２３ａに設け、第３の規制部３４を被取付部３２に設けたが、その他、第２の規制部２４は、第１分体５１に、例えばリブ２３ａの軸部２３と反対側に接触する環状凸部を設けて、第１分体５１が軸部２３に対して該軸部２３の径方向へ移動するのを規制するようにしてもよいし、また、第３の規制部３４は、第２分体５２に、例えば被取付部３２の外周部に接触する凸部を設けて、第２分体５２が軸部２３に対して該軸部２３の径方向へ移動するのを規制するようにしてもよい。
【００５２】
また、本発明に係る緩衝構造Ａは表示装置に使用される他、表示装置以外の装置に使用されてもよい。
【００５３】
また、以上説明した実施の形態では、上側と下側とが取付けられるスピーカの緩衝構造として、上側２箇所に緩衝構造Ｂを配し、下側２箇所に緩衝構造Ａを配置したが、その他、上側及び下側に緩衝構造Ａを配置してもよい。この場合、例えば上側には図１０に示す緩衝構造Ａを、非接触凹部７が横位置となるように配し、下側には図１０に示す緩衝構造Ａを、非接触凹部７上下位置となるように配してもよい。また、実施の形態１〜６の組合せ構成としてもよい。
【００５４】
また、本発明に係る表示装置は液晶テレビジョン等の液晶表示装置である他、プラズマ表示装置、ＥＬディスプレィ等の表示装置であってもよい。
【図面の簡単な説明】
【００５５】
【図１】本発明に係る表示装置の構成を示す斜視図である。
【図２】本発明に係る表示装置の構成を示す一部を省略した縦断側面図である。
【図３】本発明に係る表示装置のスピーカの構成を示す正面図である。
【図４】本発明に係る緩衝構造を示す拡大断面図である。
【図５】本発明に係る表示装置のスピーカの取付部の構成を示す正面図である。
【図６】本発明に係る緩衝構造の他の構成を示す縦断面図である。
【図７】本発明に係る緩衝構造の他の構成を示す縦断面図である。
【図８】本発明に係る緩衝構造の他の構成を示す縦断面図である。
【図９】本発明に係る緩衝構造の他の構成を示す縦断面図である。
【図１０】本発明に係る緩衝構造の他の構成を示す軸部の軸直交方向の縦断面図である。
【図１１】特許文献１に記載されている緩衝構造の説明図である。
【符号の説明】
【００５６】
Ａ    緩衝構造
１    表示部
２    キャビネット（支持体）
２３  軸部
２０  第１の規制部
２４  第２の規制部
３４  第３の規制部
３    スピーカ（被支持物）
５    緩衝体
５ａ  孔
５１  第１分体
５２  第２分体
５３  連結部
７    非接触凹部
７ａ  第２の非接触凹部
【図１】
2009281513.tif 000003
【図２】
2009281513.tif 000004
【図３】
2009281513.tif 000005
【図４】
2009281513.tif 000006
【図５】
2009281513.tif 000007
【図６】
2009281513.tif 000008
【図７】
2009281513.tif 000009
【図８】
2009281513.tif 000010
【図９】
2009281513.tif 000011
【図１０】
2009281513.tif 000012
【図１１】
2009281513.tif 000013